(57)【要約】【課題】現実に即したより正確な電気配線の解析を可能にする装置を提供する。【解決手段】経路検索手段１Ｃにて、配線設計された電気配線上の切替器の切替状態に対応して計算に必要な経路が検索され、部品電線情報読出手段１Ｄにて、この経路上にある動的特性を有する負荷部品及び電線にそれぞれ対応する負荷部品情報及び電線情報が読み出される。そして、読み出された負荷部品情報及び電線情報を利用して、計算手段１Ｅにて、この電気配線における負荷電流、電圧分布及び配線抵抗の少なくともいずれかひとつが計算されて、これが出力手段１Ｆにて出力される。また、負荷部品情報は、負荷部品情報出力手段１Ｊにて、適宜、出力可能である。【選択図】      図１
2005025603.tif 000002
【特許請求の範囲】
【請求項１】
動的な電気的特性を有する負荷部品、電線、切替器及び電源を含む、車両内の電気配線における、負荷電流、電圧分布及び配線抵抗の少なくともいずれかひとつを計算して出力する装置であって、
前記負荷部品の電気的特性を示す負荷部品情報及び前記電線の電気的特性を示す電線情報を格納する格納手段と、
前記切替器の切替状態を設定する切替器設定手段と、
前記切替状態に対応した、前記電気配線における前記計算に必要な経路を検索する経路検索手段と、
前記経路上にある前記負荷部品及び前記電線にそれぞれ対応する前記負荷部品情報及び前記電線情報を、前記格納手段から読み出す部品電線情報読出手段と、
前記部品電線情報読出手段にて読み出された前記負荷部品情報及び前記電線情報を利用して、前記負荷電流、前記電圧分布及び前記配線抵抗の少なくともいずれかひとつを、計算する計算手段と、
前記計算手段にて計算された前記負荷電流、前記電圧分布及び前記配線抵抗の少なくともいずれかひとつを、出力する出力手段と、を含む
ことを特徴とする電気配線解析装置。
【請求項２】
請求項１記載の電気配線解析装置において、
前記負荷部品情報は、前記負荷部品毎に特有の、電圧変動にともない電流変動する電圧電流特性を含む、
ことを特徴とする電気配線解析装置。
【請求項３】
請求項１又は２記載の電気配線解析装置において、
前記電線情報は、電線種及び電線長に依存して、所定の比率で変化する電線抵抗値情報を含む、
ことを特徴とする電気配線解析装置。
【請求項４】
請求項１〜３のいずれか一項に記載の電気配線解析装置において、
前記負荷電流、前記電圧分布及び前記配線抵抗のうちから解析対象を設定する解析対象設定手段、を更に含み、
前記解析対象設定手段にて設定された前記負荷電流、前記電圧分布又は前記配線抵抗は、関連する前記負荷部品及び前記電線に対応づけられて出力される、
ことを特徴とする電気配線解析装置。
【請求項５】
請求項１〜４のいずれか一項に記載の電気配線解析装置において、
前記負荷部品情報を表示させるべき前記負荷部品を指定する負荷部品指定手段と、
前記負荷部品指定手段にて指定された前記負荷部品に対応する前記負荷部品情報を、前記格納手段から読み出す負荷部品情報読出手段と、
前記負荷部品情報読出手段にて読み出された前記負荷部品情報を、関連する前記負荷部品に対応づけて出力する負荷部品情報出力手段と、を更に含む
ことを特徴とする電気配線解析装置。
【請求項６】
動的な電気的特性を有する負荷部品、電線、切替器及び電源を含む、車両内の電気配線における、負荷電流、電圧分布及び配線抵抗の少なくともいずれかひとつを計算して出力する方法であって、
前記切替器の切替状態を設定する切替器設定工程と、
前記切替状態に対応した、前記電気配線における前記計算に必要な経路を検索する経路検索工程と、
前記経路上にある前記負荷部品及び前記電線にそれぞれ対応して、予め格納されている前記負荷部品の電気的特性を示す負荷部品情報及び前記電線の電気的特性を示す電線情報を読み出す部品電線情報読出工程と、
前記部品電線情報読出工程にて読み出された前記負荷部品情報及び前記電線情報を利用して、前記負荷電流、前記電圧分布及び前記配線抵抗の少なくともいずれかひとつを、計算する計算工程と、
前記計算工程にて計算された前記負荷電流、前記電圧分布及び前記配線抵抗の少なくともいずれかひとつを、出力する出力工程と、を含む
ことを特徴とする電気配線解析方法。
【請求項７】
動的な電気的特性を有する負荷部品、電線、切替器及び電源を含む、車両内の電気配線における、負荷電流、電圧分布及び配線抵抗の少なくともいずれかひとつを計算して出力するために、コンピュータを、
前記負荷部品の電気的特性を示す負荷部品情報及び前記電線の電気的特性を示す電線情報を格納する格納手段、
前記切替器の切替状態を設定する切替器設定手段、
前記切替状態に対応した、前記電気配線における前記計算に必要な経路を検索する経路検索手段、
前記経路上にある前記負荷部品及び前記電線にそれぞれ対応する前記負荷部品情報及び前記電線情報を、前記格納手段から読み出す部品電線情報読出手段、
前記部品電線情報読出手段にて読み出された前記負荷部品情報及び前記電線情報を利用して、前記負荷電流、前記電圧分布及び前記配線抵抗の少なくともいずれかひとつを、計算する計算手段、
前記計算手段にて計算された前記負荷電流、前記電圧分布及び前記配線抵抗の少なくともいずれかひとつを、出力する出力手段、として機能させる、
ことを特徴とする電気配線解析プログラム。
【発明の詳細な説明】
【０００１】
【発明の属する技術分野】
本発明は、負荷部品、電線、切替器及び電源を含む、車両内の電気配線における、負荷電流、電圧分布及び配線抵抗を計算して出力する電気配線解析装置、その方法及びそのプログラムに関する。
【０００２】
【従来の技術】
近年、自動車の開発期間はますます短縮化される傾向にあり、これにともない車載される電装機器の開発期間も短縮化される傾向にある。このような現状から、負荷部品、電線、切替器及び電源を含む電気配線をシミュレーションするための技術が多数提案されている。例えば、特許文献１においては、入力画面に複数の電気部品を選択配置し、これら電気部品の名称及び形式を入力して、所望の電気配線を行うシミュレーション装置が示されている。
【０００３】
【特許文献１】
特開２００２−２４３１４号公報（図２、図４、図６及び図７等）
【０００４】
【発明が解決しようとする課題】
上記従来の技術によると、画面上で電気配線をシミュレーションできる点で大きな長所があるが、これを車両内の配線設計に適用するにあたり、さらなる改善が求められている。
【０００５】
例えば、車両電気部品の中には、バルブ等のように、電圧変動にともない電流変動する（又は電流変動にともない電圧変動する）というような、動的特性を有する負荷部品が多く存在する。したがって、このような負荷部品の特性も考慮した電気配線解析装置が求められている。
【０００６】
また、車両内には、多種で比較的長い電線が多く配策される。したがって、電線の抵抗値も無視できず、このような電線の抵抗値も考慮した電気配線解析装置が求められている。すなわち、より正確な配線解析が可能な装置が求められている。
【０００７】
よって本発明は、上述した現状に鑑み、現実に即したより正確な電気配線の解析を可能にする装置、その方法及びそのプログラムを提供することを課題としている。
【０００８】
【課題を解決するための手段】
上記課題を解決するためになされた請求項１記載の電気配線解析装置は、図１の基本構成図に示すように、動的な電気的特性を有する負荷部品、電線、切替器及び電源を含む、車両内の電気配線における、負荷電流、電圧分布及び配線抵抗の少なくともいずれかひとつを計算して出力する装置であって、前記負荷部品の電気的特性を示す負荷部品情報及び前記電線の電気的特性を示す電線情報を格納する格納手段１Ａと、前記切替器の切替状態を設定する切替器設定手段１Ｂと、前記切替状態に対応した、前記電気配線における前記計算に必要な経路を検索する経路検索手段１Ｃと、前記経路上にある前記負荷部品及び前記電線にそれぞれ対応する前記負荷部品情報及び前記電線情報を、前記格納手段１Ａから読み出す部品電線情報読出手段１Ｄと、前記部品電線情報読出手段にて読み出された前記負荷部品情報及び前記電線情報を利用して、前記負荷電流、前記電圧分布及び前記配線抵抗の少なくともいずれかひとつを、計算する計算手段１Ｅと、前記計算手段１Ｅにて計算された前記負荷電流、前記電圧分布及び前記配線抵抗の少なくともいずれかひとつを、出力する出力手段１Ｆと、を含むことを特徴とする。
【０００９】
請求項１記載の発明によれば、電気配線上の切替器の切替状態に対応して計算に必要な経路が検索され、この経路上にある動的特性を有する負荷部品及び電線にそれぞれ対応する負荷部品情報及び電線情報が読み出される。そして、読み出された負荷部品情報及び電線情報を利用して、この電気配線における負荷電流、電圧分布及び配線抵抗の少なくともいずれかひとつが計算されて出力される。このように、負荷部品の動的な電気的特性、及び電線の電気的特性が考慮されて、負荷電流、電圧分布及び配線抵抗が計算される。
【００１０】
上記課題を解決するためになされた請求項２記載の電気配線解析装置は、図１の基本構成図に示すように、請求項１記載の電気配線解析装置において、前記負荷部品情報は、前記負荷部品毎に特有の、電圧変動にともない電流変動する電圧電流特性を含む、ことを特徴とする。
【００１１】
請求項２記載の発明によれば、解析に利用される負荷部品情報は、負荷部品毎に特有の、電圧変動にともない電流変動する電圧電流特性を含むので、負荷部品としてランプ等を含む電気配線の解析に特に有効となる。
【００１２】
上記課題を解決するためになされた請求項３記載の電気配線解析装置は、図１の基本構成図に示すように、請求項１又は２記載の電気配線解析装置において、前記電線情報は、電線種及び電線長に依存して、所定の比率で変化する電線抵抗値情報を含む、ことを特徴とする。
【００１３】
請求項３記載の発明によれば、解析に利用される電線情報は、電線種及び電線長に依存して、所定の比率で変化する電線抵抗値情報を含むので、車両内に配策されるワイヤーハーネス等のように、多種で比較的長い電線を含む電気配線の解析に特に有効となる。
【００１４】
上記課題を解決するためになされた請求項４記載の電気配線解析装置は、図１の基本構成図に示すように、請求項１〜３のいずれか一項に記載の電気配線解析装置において、前記負荷電流、前記電圧分布及び前記配線抵抗のうちから解析対象を設定する解析対象設定手段１Ｇ、を更に含み、前記解析対象設定手段１Ｇにて設定された前記負荷電流、前記電圧分布又は前記配線抵抗は、関連する前記負荷部品及び前記電線に対応づけられて出力される、ことを特徴とする。
【００１５】
請求項４記載の発明によれば、負荷電流、電圧分布及び配線抵抗のうちから解析対象が設定され、これが関連する負荷部品及び電線に対応づけられて出力されるので、解析結果の視認性が向上する。
【００１６】
上記課題を解決するためになされた請求項５記載の電気配線解析装置は、図１の基本構成図に示すように、請求項１〜４のいずれか一項に記載の電気配線解析装置において、前記負荷部品情報を表示させるべき前記負荷部品を指定する負荷部品指定手段１Ｈと、前記負荷部品指定手段１Ｈにて指定された前記負荷部品に対応する前記負荷部品情報を、前記格納手段１Ａから読み出す負荷部品情報読出手段１Ｉと、前記負荷部品情報読出手段１Ｉにて読み出された前記負荷部品情報を、関連する前記負荷部品に対応づけて出力する負荷部品情報出力手段１Ｊと、を更に含むことを特徴とする。
【００１７】
請求項５記載の発明によれば、指定された負荷部品に対応する負荷部品情報が、負荷部品に対応づけて出力されるので、上記負荷電流、電圧分布及び配線抵抗と共に、必要に応じて任意の負荷部品の詳細情報が確認できるようになる。
【００１８】
上記課題を解決するためになされた請求項６記載の電気配線解析方法は、動的な電気的特性を有する負荷部品、電線、切替器及び電源を含む、車両内の電気配線における、負荷電流、電圧分布及び配線抵抗の少なくともいずれかひとつを計算して出力する方法であって、前記切替器の切替状態を設定する切替器設定工程と、前記切替状態に対応した、前記電気配線における前記計算に必要な経路を検索する経路検索工程と、前記経路上にある前記負荷部品及び前記電線にそれぞれ対応して、予め格納されている前記負荷部品の電気的特性を示す負荷部品情報及び前記電線の電気的特性を示す電線情報を読み出す部品電線情報読出工程と、前記部品電線情報読出工程にて読み出された前記負荷部品情報及び前記電線情報を利用して、前記負荷電流、前記電圧分布及び前記配線抵抗の少なくともいずれかひとつを、計算する計算工程と、前記計算工程にて計算された前記負荷電流、前記電圧分布及び前記配線抵抗の少なくともいずれかひとつを、出力する出力工程と、を含むことを特徴とする。なお、この請求項６の発明に対しても、上記請求項２〜５の発明と同様の主旨の請求項を従属させることが可能である。
【００１９】
請求項６記載の発明によれば、電気配線上の切替器の切替状態に対応して計算に必要な経路が検索され、この経路上にある動的特性を有する負荷部品及び電線にそれぞれ対応する負荷部品情報及び電線情報が読み出される。そして、読み出された負荷部品情報及び電線情報を利用して、この電気配線における負荷電流、電圧分布及び配線抵抗の少なくともいずれかひとつが計算されて出力される。このように、負荷部品の動的な電気的特性、及び電線の電気的特性が考慮されて、負荷電流、電圧分布及び配線抵抗が計算される。
【００２０】
上記課題を解決するためになされた請求項７記載の電気配線解析プログラムは、動的な電気的特性を有する負荷部品、電線、切替器及び電源を含む、車両内の電気配線における、負荷電流、電圧分布及び配線抵抗の少なくともいずれかひとつを計算して出力するために、コンピュータを、前記負荷部品の電気的特性を示す負荷部品情報及び前記電線の電気的特性を示す電線情報を格納する格納手段１Ａ、前記切替器の切替状態を設定する切替器設定手段１Ｂ、前記切替状態に対応した、前記電気配線における前記計算に必要な経路を検索する経路検索手段１Ｃ、前記経路上にある前記負荷部品及び前記電線にそれぞれ対応する前記負荷部品情報及び前記電線情報を、前記格納手段１Ａから読み出す部品電線情報読出手段１Ｄ、前記部品電線情報読出手段にて読み出された前記負荷部品情報及び前記電線情報を利用して、前記負荷電流、前記電圧分布及び前記配線抵抗の少なくともいずれかひとつを、計算する計算手段１Ｅ、前記計算手段１Ｅにて計算された前記負荷電流、前記電圧分布及び前記配線抵抗の少なくともいずれかひとつを、出力する出力手段１Ｆ、として機能させる、ことを特徴とする。なお、この請求項７の発明に対しても、上記請求項２〜５の発明と同様の主旨の請求項を従属させることが可能である。
【００２１】
請求項７記載の発明によれば、コンピュータに、電気配線上の切替器の切替状態に対応して計算に必要な経路が検索させ、この経路上にある動的特性を有する負荷部品及び電線にそれぞれ対応する負荷部品情報及び電線情報が読み出させる。そして、読み出させた負荷部品情報及び電線情報を利用して、この電気配線における負荷電流、電圧分布及び配線抵抗の少なくともいずれかひとつを計算させて出力させる。
【００２２】
【発明の実施の形態】
以下、本発明の実施の形態を図面に基づいて説明する。
まず、本発明の電気配線解析装置のハードウエア構成及び負荷部品情報の一例について説明する。図２は、本発明の実施形態に係るハードウエア構成を示すブロック構成図である。図３は、図２の記憶装置に格納される負荷部品情報に係る図である。
【００２３】
図２に示すように、電気配線解析装置１は、マイクロコンピュータ１１、入力装置１２、表示装置１３、印字装置１４、記憶装置１５、通信インターフェース１６及び読込装置１７を含んで構成される、例えば、パーソナルコンピュータで実現される。マイクロコンピュータ１１は、ＣＰＵ１１ａ（中央演算装置）、ブートプログラム等を記憶するＲＯＭ１１ｂ、各種処理結果を一時的に記憶するＲＡＭ１１ｃを含む。入力装置１２は上記各値等を入力するキーボード、マウス等であり、表示装置１３は処理結果を表示するＣＲＴ等であり、印字装置１４は処理結果を印字するプリンタである。また、記憶装置１５は処理結果を記憶するハードディスクドライブやコンパクトディスク等の可搬型記録媒体であり、通信インターフェース１６は外部装置と、例えば、ＬＡＮ回線を用いてデータ通信を行うためのモデムボード等である。読込装置１７は、ＣＤ−Ｒ等の記録媒体１８に格納される、図４〜図６に示す電気配線解析プログラム１８ａ（請求項７に対応する）を読み込むための装置である。これらの各構成要素は、内部バス１９を介して接続されている。
【００２４】
ＣＰＵ１１ａは、ＲＯＭ１１ｂに記憶されるブートプログラムにしたがって起動され、読込装置１７にて読み込まれて記憶装置１５にインストールされている電気配線解析プログラム１８ａにしたがって、本発明に係る処理等を行い、表示装置１３や印字装置１４から出力させたり、その結果を記憶装置１５に記憶させたりする。電気配線解析プログラム１８ａは、上記構成を有する他のコンピュータにもインストール可能であり、インストール後は、そのコンピュータを電気配線解析装置として機能させる。なお、電気配線解析プログラム１８ａは、記録媒体１８のみならず、インターネットやＬＡＮ等の通信回線を経由して提供されたものであってもよい。電気配線解析装置が行う本発明に係る処理手順は、図４、図５及び図６を用いて後述する。
【００２５】
上記記憶装置１５には、少なくとも、配線情報１５ａ、負荷部品情報１５ｂ、電線情報１５ｃが格納されている。配線情報１５ａは、例えば、上記特許文献１にて示されるような所定の配線シミュレーション装置により設計された、負荷部品、電線、切替器及び電源等を含む電気配線を示す情報である。記憶装置１５は、請求項の格納手段に対応する。
【００２６】
負荷部品情報１５ｂは、負荷部品の電気的特性を示す情報である。負荷部品とは、例えば、バルブ、ランプ、モータ等である。また、保護部品であるヒューズ等も所定の抵抗値を有するので、ここでは、負荷部品として扱う。また、電気的特性は、負荷部品毎の抵抗値を含むことは勿論、負荷部品毎に特有の、電圧変動にともない電流変動する電圧電流特性を含む。このような負荷部品としては、例えば、バルブやランプ等が想定され、図３に示すように、バルブ毎の電圧電流特性１５ｂ１、１５ｂ２、１５ｂ３が記憶装置１５に格納されている。電圧電流特性を示す関数は１５１で示すように、例えば、Ｉ＝ａＶ＋ｂ（Ｉ：電流、Ｖ：電圧、ａ、ｂ：部品毎に特有の係数）にて示される。電線情報１５ｃは、電線種及び電線長に依存して、所定の比率で変化する電線抵抗値情報を含む。
【００２７】
次に、図７〜図９の説明図を参照しつつ、図４〜図６のフローチャートを用いて、本発明の実施形態に係る処理手順について説明する。図４は、本発明の実施形態に係る主処理手順を示すフローチャートである。図５（ａ）、図５（ｂ）及び図５（ｃ）はそれぞれ、図４中の負荷電流計算、電圧分布計算及び配線抵抗計算に係る各処理手順を示すフローチャートである。図６（ａ）及び図６（ｂ）はそれぞれ、図５中の解析前処理及び負荷部品情報表示に係る各処理手順を示すフローチャートである。図７は、本発明に係る計算式のたて方を説明するために、解析される電気配線を概略的に示す図である。図８は、負荷電流の表示例を示す図である。図９は、負荷電流及び電圧分布の他の表示例を示す図である。
【００２８】
なお、図４に示す処理に先立ち、予め設計された電気配線が、表示装置１３上に表示されているものとする。この電気配線は、既に記憶装置１５に格納されている上記配線情報１５ａを読み出して表示させてもよいし、今回新たに設計した電気配線であってもよい。
【００２９】
このような電気配線をベースとして、まず、図４のステップＳ１において、上記入力装置１２を利用して解析対象が設定される。解析対象とは、この電気配線において求めるべき、負荷電流、電圧分布及び配線抵抗の少なくともいずれかひとつである。そして、ステップＳ２において、この設定された解析対象に基づいて、ステップＳ３、ステップＳ４及びステップＳ５にそれぞれ示す、負荷電流計算、電圧分布計算及び配線抵抗計算に係る各処理に振り分けられる。ステップＳ１は、請求項の解析対象設定手段に対応する。
【００３０】
ステップＳ３の負荷電流計算では、詳しくは、図５（ａ）に示すように、ステップＳ３０１において、まず解析前処理が行われる。解析前処理は、負荷電流計算、電圧分布計算及び配線抵抗計算に略共通する処理であり、解析に必要な各種設定や情報の読み出し等が行われる。
【００３１】
すなわち、解析前処理では、詳しくは、図６（ａ）に示すように、ステップＳ３０１ａにおいて、切替器の設定が行われる。切替器は、例えば、表示装置１３上に表示されている電気配線におけるスイッチやリレーであり、これが解析に想定される切替状態に設定される。切替状態は、例えば、ヘッドライトのハイポジション又はローポジション等である。ステップＳ３０１ａは、請求項の切替器設定手段及び切替器設定工程に対応する。
【００３２】
次に、ステップＳ３０１ｂにおいて、経路検索が行われる。すなわち、ここでは、上記切替器の切替状態に対応した、電気配線における計算に必要な経路、例えば、負荷電流の計算に必要な経路等が検索される。ステップＳ３０１ｂは、請求項の経路検索手段及び経路検索工程に対応する。
【００３３】
次に、ステップＳ３０１ｃ及びステップＳ３０１ｄにおいてはそれぞれ、上記検索された経路上にある負荷部品及び電線にそれぞれ対応する負荷部品情報及び電線情報が記憶装置１５から読み出される。ここで読み出される情報で、特に、重要な情報は、負荷部品情報及び電線情報に含まれる抵抗値に関する情報、及び負荷部品の電圧電流特性である。ステップＳ３０１ｃ及びステップＳ３０１ｄは、請求項の部品電線情報読出手段及び部品電線情報読出工程に対応する。
【００３４】
そして、ステップＳ３０１ｅにおいて、計算式が作成される。すなわち、周知のキルヒホッフの法則、オームの法則、上記電圧電流特性等が、検索された経路に適用されて、複数の方程式からなる計算式がたてられる。ここで、上記ステップＳ３０１ａ〜ステップＳ３０１ｅの処理を図７を用いて以下に簡単に説明する。
【００３５】
すなわち、図７に示すような、電源２０、ヒューズ３０〜３３、バルブ４１〜４３、切替器５１〜５３及びこれらを繋ぐ電線から構成される、予め設計された電気配線に対して、切替器５１〜５３の切り替え状態が設定される。すると、計算に必要な経路が検索され、この経路上にある電源２０、ヒューズ３０〜３３、バルブ４１〜４３に関する各情報が読み出され、計算式がたてられる。詳しくは、ヒューズ３０〜３３についてはそれらの抵抗値が、バルブ４１〜４３に関してはそれらの電圧電流特性が、負荷部品情報として読み出される。ここでは、ヒューズ３０〜３３及びバルブ４１〜４３は、計算式をたてる際に、負荷部品として扱っている。
【００３６】
図７において、電源２０の電圧をＶＢ、ヒューズ３０〜３３の負荷をＲ０〜Ｒ３、各経路上の負荷電流をＩ０〜Ｉ３、負荷をＲ０〜Ｒ３に係る電圧をＶ１〜Ｖ３とすると、
まず、キルヒホッフの第１法則を利用して、
Ｉ０＝Ｉ１＋Ｉ２＋Ｉ３
また、キルヒホッフの第２法則を利用して、
Ｖ１＝ＶＢ−（Ｒ０＊Ｉ０＋Ｒ１＊Ｉ１）
Ｖ２＝ＶＢ−（Ｒ０＊Ｉ０＋Ｒ２＊Ｉ２）
Ｖ３＝ＶＢ−（Ｒ０＊Ｉ０＋Ｒ３＊Ｉ３）
また、バルブ４１〜４３の電圧電流特性から、
Ｉ１＝ａ１＊Ｖ１＋ｂ１
Ｉ２＝ａ２＊Ｖ２＋ｂ２
Ｉ３＝ａ３＊Ｖ３＋ｂ３
という計算式をたてることができる。
【００３７】
このような計算式に基づき、所望の負荷電流や電圧分布を計算することが可能である。なお、上記計算式では、電線種及び電線長に依存して変化する電線抵抗値は考慮されていないが、このような電線抵抗値も考慮して上記のような計算式をたてることが好ましい。すなわち、車両内には、多種で比較的長い電線が配策されるので、電線抵抗値も考慮して上記のような計算式をたてることにより、より現実的な電気配線の解析が可能となる。
【００３８】
このようなステップＳ３０１ａ〜ステップＳ３０１ｅからなる解析前処理が終了すると、図５（ａ）のステップＳ３０２に進んで、全経路（ここではｎ経路とする）における負荷電流が計算される。例えば、上記のような計算式が解かれて、検索された経路上の全負荷電流がそれぞれ求められる。そして、ステップＳ３０３において、上記計算された各負荷電流が、表示装置１３に既に表示されている配線図に合成され表示される。この表示イメージは、後述の図８にて示す負荷電流の表示に類似したものであり、選択された負荷部品に対応づけてその値が表示される。
【００３９】
なお、ステップＳ３０４において、表示中の電気配線における任意の負荷部品に関する負荷部品情報を表示させる場合には（ステップＳ３０４のＹ）、ステップＳ３０５に進んで、負荷部品情報表示に係る処理が行われる。すなわち、この負荷部品情報表示では、詳しくは、図６（ｂ）に示すように、ステップＳ３０５ａにおいて表示中の電気配線における任意の負荷部品が指定され、ステップＳ３０５ｂにおいてこの指定された負荷部品の負荷部品情報が記憶装置１５から読み出され、ステップＳ３０５ｃにおいてこの読み出された負荷部品情報が、指定された負荷部品に対応づけて表示装置１３上に表示される。負荷部品の指定は、例えば、入力装置１２としてのマウスを利用した、表示中の負荷部品に対するクリック操作が想定され、表示される負荷部品情報は、例えば、図３で示したような、バルブの電圧電流特性が想定される。ステップＳ３０５ａ、ステップＳ３０５ｂ及びステップＳ３０５ｃはそれぞれ、請求項の負荷部品指定手段、負荷部品情報読出手段及び負荷部品情報出力手段に対応する。
【００４０】
このように、指定された負荷部品に対応する負荷部品情報が、負荷部品に対応づけて出力されるので、求められた負荷電流等と共に、必要に応じて任意の負荷部品の詳細情報が確認できるようになり、電気配線の解析の利便性向上及び正確性向上の一助となる。この負荷部品情報表示は、例えば、上記解析前処理中に行わせるようにしてもよい。
【００４１】
また、ステップＳ４の電圧分布計算では、詳しくは、図５（ｂ）に示すように、ステップＳ４０１において、まず解析前処理が行われる。この解析前処理は上記ステップＳ３０１と同様の処理であり、解析に必要な各種設定や情報の読み出し等が行われる。次に、ステップＳ４０２及びステップＳ４０３に進んで、全負荷要素（ここではｍ個とする）における電圧分布が計算される。ここで、負荷要素とは、上述したように、バルブ、ランプ、モータ、ヒューズ等の負荷部品及び電線とする。但し、この計算ループ中、負荷要素が負荷部品である場合のみ、ステップＳ４０３において対応する電圧分布が計算される。この電圧分布は、上記ような計算式をたて、必要な電圧を求めることにより計算できる。そして、ステップＳ４０４において、上記計算された各負荷電流が、表示装置１３に既に表示されている配線図に合成され表示される。実際的な表示例を図８に示す。
【００４２】
図８において、表示装置１３には、１３ａに示すような画面が表示される。ここに表示される予め設計された電気配線は、電源２ａ、ヒューズ３ａ〜３ｅ、バルブ４ａ〜４ｅ、切替器５及びこれらを繋ぐ電線等から構成される。そして、負荷部品としての、各ヒューズ３ａ〜３ｅ及び各バルブ４ａ〜４ｅにそれぞれ対応づけて、上記のようにして計算された各負荷電流３ａ′〜３ｅ′及び４ａ′〜４ｅ′が表示される。
【００４３】
また、これに続くステップＳ４０５及びステップＳ４０６においては、上記ステップＳ３０４及びステップＳ３０５と同様に、適宜、表示中の電気配線における任意の負荷部品に関する負荷部品情報が表示可能である。ステップＳ４０５及びステップＳ４０６の処理は、上記ステップＳ３０４及び３０５と同様であるので、その説明は省略する。
【００４４】
また、ステップＳ５の配線抵抗計算は、詳しくは、図５（ｃ）に示すように、ステップＳ５０１において、まず解析前処理が行われる。この解析前処理は図６（ｂ）に示す処理に準じた処理ステップＳ３０１′であるが、図６（ｂ）に示す処理のうち、少なくとも、ステップＳ３０１ｃが含まれていればよい。すなわち、ここでは、配線抵抗計算のために、負荷部品情報、特に、負荷部品の抵抗値に関する情報の読み出しが行われる。なお、ステップＳ３０１ｄを更に含ませ、電線情報、特に、電線の抵抗値に関する情報の読み出しも行い、これも合成するとより正確性が向上する。
【００４５】
次に、ステップＳ５０２において配線抵抗を計算すべき負荷部品が選択され、ステップＳ５０３においてこの選択した負荷部品に対する前方部品又は後方部品が選択される。次に、これら選択された負荷部品〜前方部品又は後方部品の合成抵抗が、所望の配線抵抗として計算される。この合成抵抗の計算に際しては、上記読み出された負荷部品情報（電線情報を含む場合もある）に含まれる抵抗値に関する情報が参照され、周知のオームの法則が利用される。そして、ステップＳ５０５において、上記計算された配線抵抗が、表示装置１３に既に表示されている配線図に合成され表示される。この表示イメージは、上記図８にて示した負荷電流の表示に類似したものであり、選択された負荷部品に対応づけてその値が表示される。
【００４６】
なお、計算された負荷電流、電圧分布、配線抵抗は、図９の１３ｂ、１３ｃで示すように、帳票形式で出力するようにしてもよい。また、図８及び図９で示した表示例は、表示装置１３上のみならず、印字装置１４にて紙上に印刷出力するようにしてもよい。
【００４７】
また、これに続くステップＳ５０６及びステップＳ５０７においては、上記ステップＳ３０４及びステップＳ３０５と同様に、適宜、表示中の電気配線における任意の負荷部品に関する負荷部品情報が表示可能である。ステップＳ５０６及びステップＳ５０７の処理は、上記ステップＳ３０４及びステップＳ３０５と同様であるので、その説明は省略する。
【００４８】
なお、上記ステップＳ３０２、ステップＳ４０２及びステップＳ５０４は請求項の計算手段に対応し、ステップＳ３０５、ステップＳ４０４及びステップＳ５０５は請求項の出力手段に対応する。また、ステップＳ３０２、ステップＳ４０２及びステップＳ５０４は請求項の計算工程に対応し、ステップＳ３０５、ステップＳ４０４及びステップＳ５０５は請求項の出力工程にも対応する。なお、請求項中の出力とは、表示装置１３上への表示のみならず、印字装置１４による紙上への印刷も含む概念である。
【００４９】
このように、本発明の実施形態によれば、負荷部品の動的な電気的特性、更には電線の電気的特性が考慮されて、負荷電流、電圧分布及び配線抵抗が計算され、この値が関連する部位に対応づけて表示されるので、より現実に即した正確な電気配線の解析が可能になる。
【００５０】
なお、本発明は、上記実施形態に限定されことなく、その主旨を逸脱しない範囲で種々の変更が可能である。例えば、負荷部品の動的な電気的特性は、上述のような電圧電流特性のみならず、経時的な特性変化であってもよい。また、負荷部品情報のみならず、電線情報等も適宜表示できるようにしてもよい。
【００５１】
【発明の効果】
以上説明したように、請求項１記載の発明によれば、電気配線上の切替器の切替状態に対応して計算に必要な経路が検索され、この経路上にある動的特性を有する負荷部品及び電線にそれぞれ対応する負荷部品情報及び電線情報が読み出される。そして、読み出された負荷部品情報及び電線情報を利用して、この電気配線における負荷電流、電圧分布及び配線抵抗の少なくともいずれかひとつが計算されて出力される。このように、負荷部品の動的な電気的特性、及び電線の電気的特性が考慮されて、負荷電流、電圧分布及び配線抵抗が計算されるので、より現実に即した正確な電気配線の解析が可能になる。
【００５２】
請求項２記載の発明によれば、解析に利用される負荷部品情報は、負荷部品毎に特有の、電圧変動にともない電流変動する電圧電流特性を含むので、負荷部品としてランプ等を含む電気配線の解析に特に有効となる。
【００５３】
請求項３記載の発明によれば、解析に利用される電線情報は、電線種及び電線長に依存して、所定の比率で変化する電線抵抗値情報を含むので、車両内に配策されるワイヤーハーネス等のように、多種で比較的長い電線を含む電気配線の解析に特に有効となる。
【００５４】
請求項４記載の発明によれば、負荷電流、電圧分布及び配線抵抗のうちから解析対象が設定され、これが関連する負荷部品及び電線に対応づけられて出力されるので、解析結果の視認性が向上し、利便性が大きく向上する。
【００５５】
請求項５記載の発明によれば、指定された負荷部品に対応する負荷部品情報が、負荷部品に対応づけて出力されるので、上記負荷電流、電圧分布及び配線抵抗と共に、必要に応じて任意の負荷部品の詳細情報が確認できるようになり、電気配線の解析の利便性向上及び正確性向上の一助となる。
【００５６】
請求項６記載の発明によれば、負荷部品の動的な電気的特性、及び電線の電気的特性が考慮されて、負荷電流、電圧分布及び配線抵抗が計算されるので、より現実に即した正確な電気配線の解析が可能になる。
【００５７】
請求項７記載の発明によれば、コンピュータに、負荷部品の動的な電気的特性、及び電線の電気的特性に関する情報が盛り込まれた負荷電流、電圧分布及び配線抵抗を計算させることができるので、より現実に即した正確な電気配線の解析が可能になる。
【図面の簡単な説明】
【図１】本発明の電気配線解析装置の基本構成を示すブロック図である。
【図２】本発明の実施形態に係るハードウエア構成を示すブロック構成図である。
【図３】図２の記憶装置に格納される負荷部品情報に係る図である。
【図４】本発明の実施形態に係る主処理手順を示すフローチャートである。
【図５】図５（ａ）、図５（ｂ）及び図５（ｃ）はそれぞれ、図４中の負荷電流計算、電圧分布計算及び配線抵抗計算に係る各処理手順を示すフローチャートである。
【図６】図６（ａ）及び図６（ｂ）はそれぞれ、図５中の解析前処理及び負荷部品情報表示に係る各処理手順を示すフローチャートである。
【図７】本発明に係る計算式のたて方を説明するために、解析される電気配線を概略的に示す図である。
【図８】負荷電流の表示例を示す図である。
【図９】負荷電流及び電圧分布の他の表示例を示す図である。
【符号の説明】
１１  マイクロコンピュータ
１２  入力装置
１３  表示装置
１４  印字装置
１５  記憶装置
１６  通信Ｉ／Ｆ
１７  読込装置
１８  記録媒体
１５ａ  配線情報
１５ｂ  負荷部品情報
１５ｃ  電線情報
１８ａ  電気配線解析プログラム
【図１】
2005025603.tif 000003
【図２】
2005025603.tif 000004
【図３】
2005025603.tif 000005
【図４】
2005025603.tif 000006
【図５】
2005025603.tif 000007
【図６】
2005025603.tif 000008
【図７】
2005025603.tif 000009
【図８】
2005025603.tif 000010
【図９】
2005025603.tif 000011